(57)【要約】【課題】  回転ドラム装置において、記録経路の影響が再生経路に及び難いようにすることを課題とする。【解決手段】  記録用トランス装置７１は回転ドラム４１の上面側に配置してあり、再生用トランス装置８１は回転ドラム４１の下面側に配置してあり、ヘッドＡ１Ｗ、Ａ１Ｒ等は回転ドラム４１の下面側に配置してある。記録用トランス装置７１はアルミニウムにニッケルメッキした保持部材４５によって覆われている。【選択図】  図１
2007102838.tif 000002
【特許請求の範囲】
【請求項１】
下側の固定ドラムと、
前記固定ドラムに回転可能に支持してある回転シャフトと、
前記固定ドラムの上側に位置しており、前記回転シャフトに固定してあり、前記回転シャフトと一体的に回転する上側の回転ドラムと、
前記固定ドラムの下面側に設けてあり、前記回転シャフトを回転させるモータとを有する回転ドラム装置であって、
第１の固定側トランスを保持しており、前記回転ドラムの上側に位置して、前記回転シャフトとは軸受を介して支持してある保持部材と、
前記第１の固定側トランスより延びている信号用フレキシブルケーブルとを有し、
前記回転ドラムは、下面に第２の回転側トランスを有し、上面に第１の回転側トランスを有し、且つ、該第１の回転側トランスと電気的に接続してある第１のヘッドと該第２の回転側トランスと電気的に接続してある第２のヘッドを有する構成であり、
前記固定ドラムは、第２の固定側トランスを有する構成であり、
該第１の固定側トランスが前記第１の回転側トランスと対向して第１のトランス装置を形成し、且つ前記第２の固定側トランスが前記第２の回転側トランスと対向して第２のトランス装置を形成する構成であり、
前記第１のトランス装置と前記第２のトランス装置とが、その間に前記回転ドラムを間において配置された構成としたことを特徴とする回転ドラム装置。
【請求項２】
請求項１に記載の回転ドラム装置において、
前記第１のヘッド及び第２のヘッドは、前記回転ドラムの下面側に配置してある構成としたことを特徴とする回転ドラム装置。
【請求項３】
請求項１に記載の回転ドラム装置において、
前記保持部材は、電界又は磁界をシールドする材質であり、前記第１の固定側トランスを覆うキャップ形状であり、
且つ、前記信号用フレキシブルケーブルのグランドパターンが前記保持部材に接続してある構成としたことを特徴とする回転ドラム装置。
【請求項４】
請求項３に記載の回転ドラム装置において、
前記保持部材は、前記第１の固定側トランスを越えて前記第１の回転側トランスの外周までを覆う環状部を有する形状であることを特徴とする回転ドラム装置。
【請求項５】
請求項３に記載の回転ドラム装置において、
前記保持部材は、磁性材料であるもの、又は、非磁性部材に磁性材料の表面処理を施したもの、又は、地が非磁性部材でありこれを高透磁率の材料で覆った構造のものであることを特徴とする回転ドラム装置。
【請求項６】
請求項１に記載の回転ドラム装置において、
前記保持部材は、ボール軸受部材を有し、該ボール軸受部材のインナーレースが前記回転シャフトに嵌合してある構成であり、
前記回転シャフトのうち前記保持部材よりも上方に突き出ている部分にねじ止め固定してある固定リングを有し、
該固定リングは、その下面に環状凸部を有し、該環状凸部が前記ボール軸受部材のインナーレースを押した状態で前記回転シャフトにねじ止め固定してあり、
前記ボール軸受部材は、前記回転シャフトにねじ止め固定してある固定リングによって与圧を付与してある構成としたことを特徴とする回転ドラム装置。
【請求項７】
請求項１に記載の回転ドラム装置において、
前記信号用フレキシブルケーブルは、前記第１の固定側トランスに接続される側がスリットによって複数の枝に分けられており、各枝が上下に離されて固定してあり、立体的構造を有する構成としたことを特徴とする回転ドラム装置。
【請求項８】
請求項１乃至７のうち何れか一項記載の回転ドラム装置を備え、
且つ、磁気テープを該回転ドラム装置に巻き付けるテープローディング機構を備えた構成としたことを特徴とする磁気記録再生装置。
【請求項９】
請求項１乃至７のうち何れか一項記載の回転ドラム装置を備え、
前記第１の固定側トランスより延びている信号用フレキシブルケーブルの前記第１の固定側トランス側と反対側部分を、前記回転ドラム装置を備えた磁気記録再生装置に固定することにより、前記第１の固定側トランスの回転を阻止していることを特徴とする磁気記録再生装置。
【請求項１０】
請求項１乃至７のうち何れか一項記載の回転ドラム装置を備え、
前記第１の固定側トランスより延びている信号用フレキシブルケーブルの前記第１の固定側トランス側と反対側部分を、前記回転ドラム装置を備えた磁気記録再生装置に備えられた固定部材に固定することにより、前記第１の固定側トランスの回転を阻止していることを特徴とする磁気記録再生装置。
【発明の詳細な説明】
【技術分野】
【０００１】
本発明は回転ドラム装置に関する。
【背景技術】
【０００２】
図８（Ａ），（Ｂ）は従来の回転ドラム装置１を示す。回転ドラム装置１は、固定ドラム２と、この固定ドラム２の中心の筒部２ａ内の軸受部材３，４によって回転可能に支持してあり、筒部２ａを貫通している回転シャフト５と、固定ドラム２の上側に位置しており、回転シャフト５に固定してある回転ドラム６と、固定ドラム２の下側に固定してあり、回転シャフト５を回転させるモータ７とを有する。
【０００３】
回転ドラム６には、チャンネルＡ用の一対のヘッド８−１、８−２と、チャンネルＢ用の一対のヘッド９−１、９−２が取り付けてある。また、固定ドラム２に固定側トランス１０が固定してあり、回転ドラム６に回転側トランス１１が固定してあり、固定側トランス１０と回転側トランス１１とが対向している。固定側トランス１０と回転側トランス１１とが、回転トランス装置１２を構成する。固定ドラム２よりフレキシブルケーブル１３が延びている。
【０００４】
モータ７が駆動されると、回転シャフト５及び回転ドラム６とが回転され、記録ヘッド８、再生ヘッド９、回転側トランス１１が回転される。記録モード時には、記録信号がフレキシブルケーブル１３、回転トランス装置１２を経てヘッド８−１、９−１に送られ、磁気テープに記録され、同時に、ヘッド８−２、９−２が記録されたトラックを走査して記録されている情報を確認のために再生する。再生モード時には、ヘッド８−２、９−２が磁気テープからピックアップした信号が、回転トランス装置１２、フレキシブルケーブル１３を経て取り出される。
【特許文献１】特開２００２−９２８０１号公報
【発明の開示】
【発明が解決しようとする課題】
【０００５】
回転ドラム装置を使用して磁気テープに記録再生を行なう磁気記録再生装置では、情報の転送レートを高めることが要求されている。
【０００６】
このためには、回転ドラム装置としては、チャンネル数が多いことが必要である。しかし、上記回転ドラム装置１はチャンネル数が２つであり、上記の要求を充分に満たすことが困難であった。
【０００７】
そこで、回転ドラム装置としては、チャンネル数を増やした設計が進んでいる。チャンネル数を増やすためには、ヘッドの数を増やし、且つ、回転トランス装置のチャンネル数を増やす必要がある。一方、回転ドラム装置の外形寸法は限られており、限られた狭い空間にヘッドの数が増えると、クロストークの問題も無視出来なくなってくる。
【０００８】
そこで、本発明は、上記課題を解決した回転ドラム装置を提供することを目的とする。
【課題を解決するための手段】
【０００９】
本発明は、下側の固定ドラム（４１）と、
前記固定ドラムに回転可能に支持してある回転シャフト（４２）と、
前記固定ドラムの上側に位置しており、前記回転シャフトに固定してあり、前記回転シャフトと一体的に回転する上側の回転ドラム（４３）と、
前記固定ドラムの下面側に設けてあり、前記回転シャフトを回転させるモータ（４４）とを有する回転ドラム装置であって、
第１の固定側トランス（７１）を保持しており、前記回転ドラムの上側に位置して、前記回転シャフトとは軸受を介して支持してある保持部材（４５）と、
前記第１の固定側トランスより延びている信号用フレキシブルケーブル（９０）とを有し、
前記回転ドラムは、下面に第２の回転側トランス（８２）を有し、上面に第１の回転側トランス（７２）を有し、且つ、該第１の回転側トランスと電気的に接続してある第１のヘッド（Ａ１Ｗ、Ａ２Ｗ、Ｂ１Ｗ、Ｂ２Ｗ）と該第２の回転側トランスと電気的に接続してある第２のヘッド（Ａ１Ｒ、Ａ２Ｒ、Ｂ１Ｒ、Ｂ２Ｒ）を有する構成であり、
前記固定ドラムは、第２の固定側トランス（８１）を有する構成であり、
該第１の固定側トランスが前記第１の回転側トランスと対向して第１のトランス装置（７０）を形成し、且つ前記第２の固定側トランスが前記第２の回転側トランスと対向して第２のトランス装置（８０）を形成する構成であり、
前記第１のトランス装置（７０）と前記第２のトランス装置（８０）とが、その間に前記回転ドラム（４３）を間において配置された構成としたことを特徴とする。
【発明の効果】
【００１０】
本発明によれば、第１のトランス装置が記録用トランス装置或いは再生用トランス装置のうちの一方であり、第２のトランス装置が他方である場合に、再生の経路と記録の経路とが距離を離して分離しており、且つ、再生用トランス装置が記録用トランス装置から離れて配置してあるため、記録経路と再生経路との間での電気的影響が低減され、記録モード時に、記録確認用再生信号をＣ／Ｎ比の良好な状態で出力することが出来る。
【発明を実施するための最良の形態】
【００１１】
次に本発明の実施の形態について説明する。
【実施例１】
【００１２】
図１及び図２は発明の実施例１になる回転ドラム装置４０を示し、図３はこの回転ドラム装置３０が適用してある磁気記録再生装置２０を示す。
【００１３】
磁気記録再生装置２０は、コンピュータのバックアップ等に使用されるものであり、図３に示すように、回転ドラム装置４０及びテープローディング機構２１を備えた構成である。テープローディング機構２１によって、装着されたカセット３０より磁気テープ３１が引き出され回転ドラム装置４０に約１８０度の角度範囲に巻き付けられたテープパスを形成し、磁気テープ３１がキャプスタン２２とピンチローラ２３とによって走行され、回転ドラム装置４０が動作して、信号が磁気テープ３１に記録され、また、磁気テープ３１に記録されている信号が再生される。記録は記録された状態を後追って再生して確認しつつ行なわれ、記録モードでは、再生も同時に行なわれる。
［回転ドラム装置４０の全体構成］
図１及び図２に示すように、回転ドラム装置４０は、概略、下側の固定ドラム４１と、回転シャフト４２と、上側の回転ドラム４３と、モータ４４と、保持部材４５と、固定リング４６と、記録ヘッドＡ１Ｗ、Ａ２Ｗ、Ｂ１Ｗ、Ｂ２Ｗと、再生ヘッドＡ１Ｒ、Ａ２Ｒ、Ｂ１Ｒ、Ｂ２Ｒと、記録用回転トランス装置７０と、再生用回転トランス装置８０と、記録信号用フレキシブルケーブル９０と、再生信号用フレキシブルケーブル１００とを有する。
【００１４】
固定ドラム４１はその中心に筒部４１ａを有する。
【００１５】
回転シャフト４２は、筒部４１ａ内の軸受部材１１０，１１１によって回転可能に支持してあり、筒部４１ａを貫通している。軸受部材１１０と軸受部材１１１との間には、圧縮コイルばね１１２が設けてあり、軸受部材１１０，１１１に与圧が付与されている。
【００１６】
回転ドラム４３は、回転シャフト４２のうち固定ドラム４１より上方向に突き出ている部分に固定してあり、固定ドラム４１の上側に位置しており、回転シャフト４２と一体的に回転する。
【００１７】
回転ドラム４３の下面に、８つのヘッドが周囲に沿って４５度間隔で取り付けてある。８つのヘッドは、周方向上、順番に、チャンネルＡ用の第１の記録ヘッドＡ１Ｗ、チャンネルＡ用の第１の再生ヘッドＡ１Ｒ、チャンネルＢ用の第１の記録ヘッドＢ１Ｗ、チャンネルＢ用の第１の再生ヘッドＢ１Ｒ、チャンネルＡ用の第２の記録ヘッドＡ２Ｗ、チャンネルＡ用の第２の再生ヘッドＡ２Ｒ、チャンネルＢ用の第２の記録Ｂ２Ｗ、チャンネルＢ用の第２の再生ヘッドＢ２Ｒとよりなる。記録ヘッドＡ１Ｗ、再生ヘッドＡ１Ｒ、記録ヘッドＡ２Ｗ、再生ヘッドＡ２Ｒは同じアジマス角であり、記録ヘッドＢ１Ｗ、再生ヘッドＢ１Ｒ、記録ヘッドＢ２Ｗ、再生ヘッドＢ２Ｒは、前記とは異なるアジマス角であり、同じアジマス角である。
【００１８】
固定ドラム４１の上面に再生用固定側トランス８１が固定してあり、回転ドラム４３の下面に再生用回転側トランス８２が固定してある。再生用固定側トランス８１と再生用回転側トランス８２とが対向している。
【００１９】
再生用回転トランス装置８０は、対向している再生用固定側トランス８１と再生用回転側トランス８２とよりなる。回転ドラム４３の内部において、再生用ヘッド６１、６２と再生用回転側トランス８２とが電線で接続されている。再生信号用フレキシブルケーブル１００は、その一端を固定側トランス８１と接続されており、固定ドラム４１より外側に延びている。
【００２０】
図５は保持部材組立体１２０を示す。保持部材組立体１２０は、保持部材４５に、記録用固定側トランス７１と、記録信号用フレキシブルケーブル９０と、ボール軸受部材１３０、１４０とが組み込んである構成である。
【００２１】
図６（Ａ）は保持部材４５を断面して示し、図６（Ｂ）は保持部材４５の底面図である。保持部材４５は、非磁性であるアルミニウム製の素材に磁性を有するニッケルメッキしたものであり、キャップ形状であり、円板状の天板部４５ａと、天板部４５ａの中央のハブ部４５ｂと、天板部４５ａの周囲の環状部４５ｃとを有し、記録信号用フレキシブルケーブル９０の通路としての開口４５ｄが天板部４５ａと環状部４５ｃとにまたがって形成してある。
【００２２】
ボール軸受部材１３０、１４０はハブ部４５ｂの内周に嵌合して取り付けてある。
【００２３】
記録信号用フレキシブルケーブル９０は、記録信号のための経路としての他に、保持部材４５を回転しないように保持する役割りを有しており、面に沿う方向に曲げる力がボール軸受部材１２１、１２２の回転摩擦力を上回る剛性を有している。
【００２４】
図５に示すように、記録信号用フレキシブルケーブル９０は、中央にグランドパターン９１、この片側に４本の信号用パターン９２、反対側に４本の信号用パターン９３を有する。また、記録信号用フレキシブルケーブル９０の一端９０ａは二つのスリット９４−１、９４−２によって、三つの枝部９５，９６，９７に分かれている。中央の枝部９５はグランドパターン９１を有し、枝部９６には信号用パターン９２の端が延びており、枝部９７には信号用パターン９３の端が延びている。図２に示すように、記録信号用フレキシブルケーブル９０の他端９０ｂにはコネクタ接続用コンタクト部９８を有する。
【００２５】
図５に示すように、記録用固定側トランス８２は、下面側に複数のコイル（図示せず）が同心円状に配置してある構成であり、各コイルの端が上面側に引き出されている構成である。記録信号用フレキシブルケーブル９０の一端９０ａの枝部９６，９７が記録用回転側トランス８２の上面に接着してあり、信号用パターン９２、９３の端のパッドが各コイルの端と半田付け接続してある。記録用固定側トランス８２は、ハブ部４５ｂの外周に嵌合して保持部材４５の内部に収まっている。また、枝部９５はねじ１２１でもって中央の枝部９５を天板部４５ａの上面に固定してある。
【００２６】
上記の保持部材組立体１２０の組み立てについては後述する。
【００２７】
図４に拡大して示すように、保持部材組立体１２０は、回転シャフト４２のうち回転ドラム４３より上方に突き出ている部分にボール軸受部材１３０、１４０を嵌合させて取り付けてあり、回転ドラム４３の上面に配置してある。図１に示すように、保持部材４５の環状部４５ｃの下端部４５ｃ１は記録用固定側トランス８２よりも下方向にまで延在しており、この部分が記録用回転側トランス７２の外周側を覆っている。環状部４５ｃは記録用固定側トランス８２を越えて記録用回転側トランス７２の外周側まで到っており、記録用回転側トランス７２と記録用固定側トランス８２との間のギャップ（この部分から電界及び磁界が漏れ出す）を全周に亘って覆っている。
【００２８】
図４に拡大して示すように、固定リング４６は、回転シャフト４２のうち保持部材組立体１２０より上方に突き出ている部分に嵌合してあり、止めねじ４７，４８によって直径方向上両側から回転シャフト４２に固定してあり、保持部材組立体１２０の上方への変位を制限している。固定リング４６は回転シャフト４２と共に回転する。固定リング４６は、下面の中央に環状の凸部４６ａを有している。この凸部４６ａがボール軸受部材１３０のインナーレース１３１に当っている。固定リング４６は、保持部材４５に対しては非接触状態にあり、固定リング４６と保持部材４５との間には、隙間ｇが存在している。
【００２９】
保持部材組立体１２０は、回転シャフト４２とは独立に回転可能であり、且つ、固定リング４６に対しても独立に回転可能であり、回転シャフト４２及び固定リング４６が回転しても、所定の保持力を付与することによって、保持部材組立体１２０は静止した状態にすることが可能である。
【００３０】
図１に示すように、回転ドラム４３の上面に記録用回転側トランス７２が固定してあり、これが記録用固定側トランス７１と対向している。対向し合っている記録用固定側トランス７１と記録用回転側トランス７２とによって、記録用回転トランス装置７０が構成してある。
【００３１】
回転ドラム４３の内部において、記録用ヘッド５１、５２と記録用回転側トランス７２とが電線で接続されている。記録信号用フレキシブルケーブル９０は、その一端を固定側トランス７１と接続されており、保持部材４５より外側に延びている。
【００３２】
図７（Ａ）に概略的に示すように、ボール軸受部材１３０、１４０は、夫々、インナーレース１３１，１４１と、アウターレース１３２，１４２と、ボール１３３，１４３とよりなる。アウターレース１３２，１４２がハブ部４５ｂの内周の溝部に嵌合して固定してある。アウターレース１３２，１４２は保持部材４５によって一体化されている。インナーレース１３１，１４１は回転シャフト４２に嵌合している。下側のボール軸受部材１４０のインナーレース１４１は回転シャフト４２に嵌合して回転ドラム４３の上面に載っているワッシャ１４５によって支持されている。
【００３３】
固定リング４６は環状の凸部４６ａがボール軸受部材１３０のインナーレース１３１を下方に押し付けた状態で固定してあり、ボール軸受部材１３０、１４０は、固定リング４６によって与圧Ｆを付与された状態にある。インナーレース１３１に与圧Ｆが付与されることによって、インナーレース１３１、ボール１３３、アウターレース１３２、保持部材４５、アウターレース１４２、ボール１４３がこの順番で下方に変位され、ボール軸受部材１３０、１４０は、図７（Ｂ）に概略的に示すように遊びを吸収された状態となる。
【００３４】
図１に示すように、モータ４４は、固定ドラム４１の下面に固定してある円板状のステータコイル４４ａと、回転シャフト４２のうち固定ドラム４１より下側に突き出ている部分に固定してあるロータマグネット４４ｂとよりなる。
［回転ドラム装置４０の動作］
回転ドラム装置４０は、固定ドラム４１を磁気記録再生装置２０のシャーシに固定されて磁気記録再生装置２０に取り付けられている。記録信号用フレキシブルケーブル９０は、弛みのない状態で水平に延びており、先端がコネクタに接続されて固定してある。これよって、保持部材４５の電位はグランドレベルとなっている。なお、磁気記録再生装置２０のシャーシに固定部材を設け、記録信号用フレキシブルケーブル９０の途中の部分を固定部材に固定してもよい。
【００３５】
回転ドラム装置４０は、チャンネルＡについて二つのチャンネルを有し、チャンネルＢについても二つのチャンネルを有しており、従来に比較して情報の転送レートは高い。
【００３６】
モータ４４が駆動されると、回転シャフト４２が回転され、回転シャフト４２と一体に回転ドラム４３及び固定リング４６が回転され、保持部材組立体１２０は先端が固定してある記録信号用フレキシブルケーブル９０の剛性でもって回転を阻止されて固定されて静止している。なお、記録信号用フレキシブルケーブル９０の保持部材組立体１２０への接続部は、枝部９５と枝部９６，９７とが上下に離された立体構造となっており、構造上強度が高められており、保持部材組立体１２０を回転せず静止した状態に留めるのに有利である。
【００３７】
記録モード時には、記録信号が記録信号用フレキシブルケーブル９０、記録用回転トランス装置７０を経て、記録ヘッドＡ１Ｗ，Ａ２Ｗ、Ｂ１Ｗ，Ｂ２Ｗに送られ、磁気テープに記録される。同時に、再生ヘッドＡ１Ｒ，Ａ２Ｒ、Ｂ１Ｒ，Ｂ２Ｒが先に記録されたトラックを後追い再生して、正常に記録されていることの確認がなされる。後追い再生した信号を記録確認用再生信号という。再生モード時には、再生ヘッドＡ１Ｒ，Ａ２Ｒ、Ｂ１Ｒ，Ｂ２Ｒが磁気テープからピックアップした信号が、再生用回転トランス装置８０、再生信号用フレキシブルケーブル１００を経て取り出される。
［回転ドラム装置４０の特長］
回転ドラム装置４０は以下の構成によって、記録確認用再生信号をＣ／Ｎ比の良好な状態で出力することが出来る。
【００３８】
第１の構成
記録経路を構成する記録用回転トランス装置７０及び記録信号用フレキシブルケーブル９０と、再生経路を構成する再生用回転トランス装置８０及び再生信号用フレキシブルケーブル１００とは、回転ドラム４３を間において分離されている。よって、記録経路と再生経路との間での電気的影響が低減され、記録確認用再生信号のＣ／Ｎ比が向上する。
【００３９】
第２の構成
記録信号は再生信号に比較して電流値が高く、記録用回転トランス装置７０から外に漏れ出す電磁波が他の部分に影響を及ぼし易い。
【００４０】
図１に示すように、上記の回転ドラム装置４０では、記録用回転トランス装置７０は回転ドラム４３の上面に配置してあり、再生ヘッドＡ１Ｒ，Ａ２Ｒ、Ｂ１Ｒ，Ｂ２Ｒ及び再生用回転トランス装置８０は回転ドラム４３の下面側に配置してある。
【００４１】
よって、第１には、再生ヘッドＡ１Ｒ，Ａ２Ｒ、Ｂ１Ｒ，Ｂ２Ｒは記録用回転トランス装置７０から離れた位置にあり、再生ヘッドＡ１Ｒ，Ａ２Ｒ、Ｂ１Ｒ，Ｂ２Ｒの記録用回転トランス装置７０からの距離Ｌ１は長い。これにより、再生ヘッドＡ１Ｒ，Ａ２Ｒ、Ｂ１Ｒ，Ｂ２Ｒは記録用回転トランス装置７０から外に漏れ出した電磁波による影響を受け難い。
【００４２】
また、第２には、再生用回転トランス装置８０は記録用回転トランス装置７０から離れた位置にあり、再生用回転トランス装置８０の記録用回転トランス装置７０からの距離Ｌ２は長い。これにより、再生用回転トランス装置８０は記録用回転トランス装置７０から外に漏れ出した電磁波による影響を受け難い。
【００４３】
上記の第１及び第２が合わさって、記録確認用再生信号のＣ／Ｎ比が向上する。
【００４４】
第３の構成
アルミニウム製の素材にニッケルメッキしたものは、電界及び磁界を共に良くシールドする。記録用回転トランス装置７０（対向し合っている記録用固定側トランス７１と記録用回転側トランス７２）は、アルミニウム製の素材にニッケルメッキした保持部材４５によって覆われており、記録用回転トランス装置７０からの電界及び磁界の外への漏れ出しが良好に制限されている。このことによっても、記録確認用再生信号のＣ／Ｎ比が向上する。
［回転ドラム装置４０の他の特長］
ボール軸受部材１３０、１４０への与圧の付与は、固定リング４６を下方へ押し付けた状態でねじ止めすることによってなされている。このため、圧入によって与圧の付与した構成に比較して、組み立てが容易であり、且つ、分解することも容易である。
［回転ドラム装置４０の変形例］
記録用回転トランス装置７０を回転ドラム４３の下側に、再生用回転トランス装置８０を回転ドラム４３の上側に配置してもよい。
［保持部材組立体１２０の組み立て］
図５に示すように、保持部材組立体１２０は、記録信号用フレキシブルケーブル９０の一端９０ａが接続してある記録用回転側トランス８２を、記録信号用フレキシブルケーブル９０の他端９０ｂを保持部材４５の下面側から開口４５ｄを通して外側に引き出すと共に、記録用回転側トランス８２をハブ部４５ｂの外周に嵌合させ、記録用回転側トランス８２を保持部材４５の内部に収めて接着し、残りの中央の枝部９５を開口４５ｄより引き出して保持部材４５の天板部４５ａの上側に位置させ、最後に、ねじ１２１でもって中央の枝部９５を天板部４５ａの上面に固定することによって組み立てられる。
［保持部材の変形例］
保持部材４５は、磁性材料である鉄製のものでもよく、樹脂成形部品にニッケルメッキを施したものでもよい。また、保持部材４５は、地がアルミニウム製であり、これを高透磁率の材料で覆った構造でもよい。
【図面の簡単な説明】
【００４５】
【図１】本発明の実施例１になる回転ドラム装置の部分断面図である。
【図２】図１の回転ドラム装置の平面図である。
【図３】図１の回転ドラム装置が適用してある磁気記録再生装置を示す図である。
【図４】図１の回転ドラム装置の上部を拡大して示す図である。
【図５】保持部材組立体を示す図である。
【図６】保持部材を示す図である。
【図７】保持部材組立体のボール軸受部材へ与圧が付与された状態を概略的に示す図である。
【図８】従来の回転ドラム装置の部分断面図である。
【符号の説明】
【００４６】
２０  磁気記録再生装置
２１  テープローディング機構
４０  回転ドラム装置
４１  固定ドラム
４２  回転シャフト
４３  回転ドラム
４４  モータ
４５  保持部材
４６  固定リング
７０  記録用回転トランス装置
７１  記録用固定側トランス
７２  記録用回転側トランス
８０  再生用回転トランス装置
８１  再生用固定側トランス
８２  再生用回転側トランス
９０  記録信号用フレキシブルケーブル
１００  再生信号用フレキシブルケーブル
１２０  保持部材組立体
１３０，１４０  ボール軸受部材
Ａ１Ｗ、Ａ２Ｗ、Ｂ１Ｗ、Ｂ２Ｗ  記録ヘッド
Ａ１Ｒ、Ａ２Ｒ、Ｂ１Ｒ、Ｂ２Ｒ  再生ヘッド
【図１】
2007102838.tif 000003
【図２】
2007102838.tif 000004
【図３】
2007102838.tif 000005
【図４】
2007102838.tif 000006
【図５】
2007102838.tif 000007
【図６】
2007102838.tif 000008
【図７】
2007102838.tif 000009
【図８】
2007102838.tif 000010